(57)【要約】【課題】リッド開時の操作力を低減することができるようにする。【解決手段】収納ケース本体２と、収納ケース本体２に設けられた収納用開口３に対して開閉可能なリッド４とを備えて、リッド４が収納ケース本体２にプッシュオープン可能に取付けられた車両用収納ケース１に対し、リッド４の裏面に、リッド４閉時に収納用開口３を塞ぐと共に、リッド４開閉時にリッド４のプッシュストロークを吸収するシールゴム３１を備えた収納ケース用シールゴム構造であって、シールゴム３１が、収納用開口３の縁部に沿って延設された薄肉のシールリップ３８を備え、リッド４開閉時に、シールリップ３８の先端４２が収納用開口３の内側へ入り込み、且つ、シールリップ３８の先端４２近傍の側面４３が収納用開口３の縁部に当接して側面４３で収納用開口３を密閉するようにしている。【選択図】        図１
2004224114.tif 000002
【特許請求の範囲】
【請求項１】
収納ケース本体と、該収納ケース本体に設けられた収納用開口に対して開閉可能なリッドとを備えて、該リッドが収納ケース本体にプッシュオープン可能に取付けられた車両用収納ケースに対し、前記リッドの裏面に、リッド閉時に前記収納用開口を塞ぐと共に、リッド開閉時にリッドのプッシュストロークを吸収するシールゴムを備えた収納ケース用シールゴム構造であって、
前記シールゴムが、収納用開口の縁部に沿って延設された薄肉のシールリップを備え、
リッド開閉時に、シールリップの先端が収納用開口の内側へ入り込み、且つ、シールリップの先端近傍の側面が収納用開口の縁部に当接して前記側面で収納用開口を密閉するようにしたことを特徴とする収納ケース用シールゴム構造。
【発明の詳細な説明】
【０００１】
【発明の属する技術分野】
この発明は、収納ケース用シールゴム構造に関するものである。
【０００２】
【従来の技術】
自動車などの車両では、車室内に灰皿などの収納ケースが備えられている。このような収納ケースの中には、収納ケース本体にリッドをプッシュオープン可能に取付けたものが存在する（例えば、特許文献１）。
【０００３】
このようなプッシュオープン可能なリッドを備えた収納ケースでは、リッドプッシュオープン時のストロークを確保するための機構が別途必要となるが、リッドの裏面に、リッド閉時にタバコの煙、臭いなどの漏れを防ぎ、また、収納ケース内を密閉空間としてタバコを消火するために前記収納用開口を塞ぐと共に、リッド開閉時にリッドのプッシュストロークを吸収するためのシールゴムを備えることによって、リッドプッシュオープン時のストロークを確保するための機構を省略することが検討されている。
【０００４】
【特許文献１】
実開平７−１３５６８号公報
【０００５】
【発明が解決しようとする課題】
しかしながら、リッドの裏面に、リッド閉時に前記収納用開口を塞ぐと共に、リッド開閉時にリッドのプッシュストロークを吸収するシールゴムを備えるようにする場合、シールゴムを収納用開口の周縁部の上端面に当接させる構造を採用すると、シールゴムは断面矩形状であるため、リッド開閉時のプッシュストロークを得るには、操作力が大きくなるという問題があった。
【０００６】
また、シールゴムを断面矩形状から、例えば、薄肉の断面Ｌ字形状５１に形成することも考えられるが（図９参照）、断面Ｌ字形状５１にしてもシールゴム基部から収納開口の周縁５３に向い垂直に延びるＬ字のＩ部分を有するため、リッドを押したＩ部分が踏んばり、操作荷重が大きくなるという問題があった。
【０００７】
そこで、本発明の目的は、上記の問題点を解消し、リッド開時の操作力を低減することのできる収納ケース用シールゴム構造を提供することにある。
【０００８】
【課題を解決するための手段】
上記課題を解決するために、請求項１に記載された発明では、収納ケース本体と、該収納ケース本体に設けられた収納用開口に対して開閉可能なリッドとを備えて、該リッドが収納ケース本体にプッシュオープン可能に取付けられた車両用収納ケースに対し、前記リッドの裏面に、リッド閉時に前記収納用開口を塞ぐと共に、リッド開閉時にリッドのプッシュストロークを吸収するシールゴムを備えた収納ケース用シールゴム構造であって、前記シールゴムが、収納用開口の縁部に沿って延設された薄肉のシールリップを備え、リッド開閉時に、シールリップの先端が収納用開口の内側へ入り込み、且つ、シールリップの先端近傍の側面が収納用開口の縁部に当接して前記側面で収納用開口を密閉するようにした収納ケース用シールゴム構造を特徴としている。
【０００９】
このように構成された請求項１にかかる発明によれば、リッド閉時に、シールリップの先端近傍の側面が収納用開口の縁部に当接してこの側面で収納用開口を密閉するようにしたので、リッド開閉時のシールゴムの押圧荷重が小さくなり、リッド開時の操作力を低減することができる。
【００１０】
【発明の実施の形態】
以下、本発明を具体化した実施の形態について、図示例と共に説明する。
【００１１】
図１〜図８は、この発明の実施の形態を示すものである。
【００１２】
まず、構成を説明すると、自動車などの車両には車室内に、各種の車両用収納ケース１が設けられている。
【００１３】
この車両用収納ケース１は、収納ケース本体２と、収納ケース本体２に設けられた収納用開口３を開閉可能なリッド４とを備えている。例えば、この実施の形態の車両用収納ケース１では、収納ケース本体２にシガーライター取付部５と凹部６とが設置され、シガーライター取付部５にはシガーライター７が着脱自在に取付けられ、凹部６には灰皿容器８などの収納容器が着脱自在に取付けられる。この灰皿容器８を取付けた状態では、灰皿容器８の上部開口９が上記収納用開口３となる。灰皿容器８の上部開口９には周縁部にフランジ１０が形成されている。
【００１４】
また、このフランジ１０の平面部と灰皿容器８の内壁面との交差する収納用開口縁は滑らかな湾曲面、例えば、Ｒ面１１に形成されている。
【００１５】
そして、リッド４は収納ケース本体２にプッシュオープン可能に取付けられている。即ち、リッド４の両側部からはリッド４の裏面側へ略垂直に突出する一対の支持部１３が一体に形成されている。この一対の支持部１３と収納ケース本体２の両側部との間が、一対のヒンジ軸１４を介してそれぞれ軸支されている。この一対のヒンジ軸１４は、収納ケース本体２の幅方向１５に延設されると共に、同一直線上に配置されている。また一方のヒンジ軸１４には、リッド４を開方向へ付勢するコイルバネなどの弾性体（図示せず）が介装されている。更に、他方のヒンジ軸１４には、弾性体によるリッド４の開動作を減衰するダンパ（図示せず）が、歯車１８，１９を介して接続されている。なお、歯車１８は他方の支持部１３の外周部に形成されている。更に、一方の支持部１３の先端からリッド４とは反対側へアーム２１が延設され、このアーム２１の先端に爪部２２が収納ケース本体２の奥側へ向くように突設されている。また、収納ケース本体２には、リッド４閉時の爪部２２の位置と対応する位置に爪部２２を把持・解放するラッチ装置２３が取付けられている。
【００１６】
また、収納ケース本体２の背面側には、リッド収容空間２５を画成するリッド収容壁２６が形成されて、開時にリッド４の一部を収容し得るように構成している。リッド収容空間２５の上部は、フィニッシャー２７で覆うようにしている。
【００１７】
この発明では、リッド４の裏面に、リッド４閉時に灰皿容器８内を密閉空間に塞ぐために収納用開口３を塞ぐと共に、リッド４開開時にリッド４のプッシュストロークを吸収・確保するシールゴム３１を備える。このシールゴム３１には、難燃性のゴムを用いる。
【００１８】
ここで、リッド４は、リッドアウター部材３２と、リッドインナー部材３３とを嵌め合せて構成されている。リッドインナー部材３３には、収納用開口３と対応する位置にシールゴム取付部３４を備えている。ここで、シールゴム取付部３４は、開口３５とされている。この開口３５は、収納用開口３よりも僅かに大きく、灰皿容器８の周縁部のフランジ１０の外周よりも小さい寸法とする。
【００１９】
シールゴム３１は、リッドアウター部材３２と、リッドインナー部材３３との間に挟着保持されるシールゴム本体３７と、シールゴム取付部３４の開口から突出するシールリップ３８とを備えている。このシールリップ３８は、薄肉で収納用開口３の縁部に沿って延設されるものである。このシールゴム本体３７とシールリップ３８とは、一体に形成される。
【００２０】
そして、リッド４閉時に、シールリップ３８の基端４１が収納用開口３の外側に位置すると共に、シールリップ３８の先端４２は、収納用開口縁のＲ面１１に沿って内方側へ入り込み、且つ、シールリップ３８の先端４２近傍の側面４３が収納用開口３の縁部に当接して側面４３で収納用開口３を密閉するよう構成される。
【００２１】
即ち、シールリップ３８は、リッド４から略垂直に延びる基端４１と、この基端４１に対し、収納用開口３の内側へ向けて傾斜するテーパ状の先端４２とを有している。そして、このテーパ状の先端４２部分の外側面４３が収納用開口３の縁部に密着するように構成されている。
【００２２】
更に、リッド４閉状態において、シールリップ３８の先端部４２が灰皿容器８の内壁面より内側へ突出しない構成とすることにより、灰皿容器８内でタバコの消火が不完全となる事態が発生してもシールリップ３８の先端が内壁より突出していないため、シールリップ３８に延焼することはない。
【００２３】
なお、シールリップ３８の形状は、上記形状に限定されるものではなく、内方に湾曲したシールリップとしても良い。
【００２４】
また、シールリップ３８の先端４２は、操作力を低減するという観点からは、少なくとも手前側の辺部３８ａと両側辺部３８ｂのみ収納用開口３の内側へ入り込むテーパ状とすれば良い。奥側の辺部３８ｃは、操作力の低減には影響が少ないので、収納用開口３の内側へ入り込むテーパ状としても、収納用開口３の内側へ入り込まないテーパ状としても、テーパ状とせずに基端４１をそのまま延長しても良い。なお、図中、符号アは、奥側の辺部３８ｃの回動軌跡を示す円である。
【００２５】
次に、この実施の形態の作用について説明する。
【００２６】
閉じた状態からリッド４を開けるには、シールゴム３１によってプッシュストロークを吸収させつつリッド４を押す。すると、リッド４がヒンジ軸１４を中心として僅かに回動し、一方の支持部１３から延設されたアーム２１の先端４２の爪部２２がラッチ装置２３を押す。これによって、爪部２２を把持していたラッチ装置２３が爪部２２を解放する。その結果、一方のヒンジ軸１４に介装された図示しないコイルバネなどの弾性体の弾性力が解放され、リッド４が開く。この際、他方のヒンジ軸１４に介装されたダンパが弾性体によるリッド４の開動作を減衰するので、リッド４はゆっくりとした高級感のある開き方をする。全開されたリッド４の一部は、リッド収容空間２５内に収容される。こうしてリッド４が全開されることにより、収納ケース本体２に設けた収納用開口３が外部へ露出し、収納用開口３を使用することが可能となる。
【００２７】
反対に、リッド４が全開した状態から、リッド４を閉じる場合、リッド４を収納ケース本体２の収納用開口３の内側へ向けて押す。すると、リッド４がヒンジ軸１４を中心として回動し、一方の支持部１３から延設されたアーム２１の先端４２の爪部２２がラッチ装置２３を再度押す。これによって、ラッチ装置２３が爪部２２を把持し、リッド４が閉状態で保持される。全閉されたリッド４は、難燃性のシールゴム３１が収納用開口３を塞いで、煙漏れなどを防止する。
【００２８】
この実施の形態では、リッド４閉時に、シールリップ３８の先端４２近傍の側面４３（テーパ状部分の外側面４３）が収納用開口縁のＲ面１１に沿って内方へ摺動されると共に、この側面４３と収納用開口３とで灰皿容器８を密閉するようにしたので、リッド４閉時およびリッド４開時のシールリップ３８の押圧荷重が小さくなり、リッド４開閉時の操作力を低減することができる。
【００２９】
【発明の効果】
以上説明してきたように、請求項１の発明によれば、リッド閉時に、シールリップの先端近傍の側面が収納用開口の縁部に当接してこの側面で収納用開口を密閉するようにしたので、リッド開閉時のシールゴムの押圧荷重が小さくなり、リッド開時の操作力を低減することができる、という実用上有益な効果を発揮し得る。
【図面の簡単な説明】
【図１】本発明の実施の形態の車両用収納ケースを右上方から見た斜視図である。
【図２】図１のリッドが開いた状態を示す斜視図である。
【図３】図１を左上方から見た斜視図である。
【図４】図３のリッドが開いた状態を示す斜視図である。
【図５】リッド部分の分解斜視図である。
【図６】図１の横断面図である。
【図７】図１の側方断面図である。
【図８】図６の部分拡大概略図である。
【図９】従来例の側方断面図である。
【符号の説明】
１    車両用収納ケース
２    収納ケース本体
３    収納用開口
４    リッド
３１  シールゴム
３８  シールリップ
４１  基端
４２  先端
４３  側面
【図１】
2004224114.tif 000003
【図２】
2004224114.tif 000004
【図３】
2004224114.tif 000005
【図４】
2004224114.tif 000006
【図５】
2004224114.tif 000007
【図６】
2004224114.tif 000008
【図７】
2004224114.tif 000009
【図８】
2004224114.tif 000010
【図９】
2004224114.tif 000011